(57)【特許請求の範囲】
【請求項１】
車体内に搭載されたエンジンの後側にメインポンプを直結し、該エンジンの駆動により上記メインポンプから吐出される作動油を走行用油圧モータに供給することにより上記車体の左右に備えられた転圧輪を駆動して車両を走行させる油圧走行装置と、
上記エンジンの排気管路上に設けられ、該エンジンの排ガス中に含まれる粒子状物質を捕集する後処理装置と、
上記左右何れか一方の転圧輪と上記車体の側壁との間に形成される隅部に配設された燃料タンクと、
上記他方の転圧輪と上記車体の側壁との間に形成される隅部に配設された作動油タンクと、
上記メインポンプと共に上記エンジンに直結された補助ポンプと、
上記後処理装置に捕集された粒子状物質を焼却する再生処理の際に、上記補助ポンプの吐出圧を上昇させて上記エンジンの負荷を増大させる吐出圧上昇手段とを備え、
上記他方の転圧輪と上記車体の側壁との間に形成される隅部にケーシングが配設され、該ケーシング内が隔壁により上下に２分割され、画成された上下何れか一方の室は上記作動油タンクとされ、他方の室はバルブ室として内部に上記吐出圧上昇手段が配設されていることを特徴とする転圧機械の排気浄化装置。
【請求項２】
上記作動油タンク及び上記空間は、上記補助ポンプに対して前後方向に略一致する位置に配設された
ことを特徴とする請求項１に記載の転圧機械の排気浄化装置。
【発明の詳細な説明】
【技術分野】
【０００１】
本発明は転圧機械の排気浄化装置に係り、詳しくは転圧機械に走行用動力源として搭載されたエンジンからの排ガス中の粒子状物質を捕集する後処理装置を備えた排気浄化装置に関する。
【背景技術】
【０００２】
この種の転圧機械、例えばマカダムローラでは前部車体内にエンジンを動力源としたＨＳＴ（Hydro Static Transmission）を搭載して、走行輪を兼ねた前部及び後部転圧輪を駆動するように構成されている。例えば特許文献１に記載されているように、マカダムローラの前部転圧輪は前部車体の左右両側に配設されており、それらの前部転圧輪と前部車体の左右両側壁との間の隅部を利用して、その一方にＨＳＴの作動油を貯留する作動油タンクが配設され、他方に燃料タンクが配設されている。
【０００３】
ところで、ディーゼルエンジンの排ガス中に含まれる粒子状物質の対策として、エンジンの排気系には粒子状物質を捕集するための後処理装置を装備することが求められている。この種の後処理装置は、排ガス中の粒子状物質を後処理装置上に捕集することで大気中への排出を防止しているが、粒子状物質の捕集により後処理装置は次第に目詰まりする。そこで、トラックや油圧ショベルなどでは粒子状物質の捕集限界を超える以前に後処理装置上の粒子状物質を燃焼させる再生処理が定期的に実施されている。
【０００４】
粒子状物質を燃焼させるには後処理装置を昇温する必要があり、そのためにエンジン負荷を増大させて排気温度の上昇により後処理装置の昇温を促進する手法が実施されている。
【先行技術文献】
【特許文献】
【０００５】
【特許文献１】特開２０１２−１５８８９２号公報
【発明の概要】
【発明が解決しようとする課題】
【０００６】
上記のようなエンジン負荷を増大させる手法を実施するには、前部車体内の何れかの場所に、油圧回路上で負荷を発生させる負荷掛け用の追加機器を配設する必要がある。
【０００７】
しかしながら、マカダムローラの前部車体内には、さらに負荷掛け用の追加機器を設置するスペース的な余地がなく、また油圧ポンプや作動油タンクから離間した位置に負荷掛け用の追加機器を設置すると、長い油圧配管を要すると共に管路抵抗が増大してしまうという別の問題が発生する。このため、抜本的な解決策が従来から要望されていた。
【０００８】
本発明はこのような問題点を解決するためになされたもので、その目的とするところは、周辺の機器の設置レイアウトに影響を及ぼすことなく、油圧ポンプや作動油タンクの近接位置に負荷掛け用の追加機器を設置して油圧配管の管路長を短縮することができる転圧機械の排気浄化装置を提供することにある。
【課題を解決するための手段】
【０００９】
上記の目的を達成するため、本発明の転圧機械の排気浄化装置は、車体内に搭載されたエンジンの後側にメインポンプを直結し、エンジンの駆動によりメインポンプから吐出される作動油を走行用油圧モータに供給することにより車体の左右に備えられた転圧輪を駆動して車両を走行させる油圧走行装置と、エンジンの排気管路上に設けられ、エンジンの排ガス中に含まれる粒子状物質を捕集する後処理装置と、左右何れか一方の転圧輪と車体の側壁との間に形成される隅部に配設された燃料タンクと、他方の転圧輪と車体の側壁との間に形成される隅部に配設された作動油タンクと、メインポンプと共にエンジンに直結された補助ポンプと、後処理装置に捕集された粒子状物質を焼却する再生処理の際に、補助ポンプの吐出圧を上昇させてエンジンの負荷を増大させる吐出圧上昇手段とを備え、他方の転圧輪と車体の側壁との間に形成される隅部にケーシングが配設され、ケーシング内が隔壁により上下に２分割され、画成された上下何れか一方の室は作動油タンクとされ、他方の室はバルブ室として内部に吐出圧上昇手段が配設されていることを特徴とする。
【発明の効果】
【００１０】
本発明の転圧機械の排気浄化装置によれば、左右の転圧輪と車体の側壁との間にそれぞれデッドスペースとして形成された隅部に燃料タンクと作動油タンクとが配設されるが、燃料タンクに比して作動油タンクは小容量であるため、作動油タンクの上下何れかにはデッドスペースの空間が残存し、この空間内に吐出圧上昇手段を配設することにより、周辺の機器の設置レイアウトに影響を及ぼすことなく吐出圧上昇手段を設置できる。そして、このレイアウトによれば、作動油タンクと吐出圧上昇手段とが近接すると共に、車体内の補助ポンプの側方に作動油タンク及び吐出圧上昇手段が位置することから、補助ポンプと作動油タンク及び吐出圧上昇手段とが前後方向に近い位置に配設され、それらの部材を接続する油圧配管の管路長を短縮することができる。
【図面の簡単な説明】
【００１１】
【図１】実施形態のマカダムローラを示す側面図である。
【図２】前部車体を左斜め後方より見た斜視図である。
【図３】前部車体を左斜め後方より見て作動油タンク及びバルブ室内を透視した斜視図である。
【図４】前部車体を後方より見た後面図である。
【図５】マカダムローラの油圧回路図である。
【発明を実施するための形態】
【００１２】
以下、本発明をマカダムローラの排気浄化装置に具体化した一実施形態を説明する。
図１は本実施形態のマカダムローラを示す側面図である。以下の説明では、車両を基準として前後方向及び左右方向を表現する。
【００１３】
マカダムローラ１（以下、車両と称することもある）の車体は、前部転圧輪２を備えた前部車体４と後部転圧輪３を備えた後部車体５とにより構成されている。これらの前部車体４と後部車体５とはアーティキュレート機構６を介して連結されており、前部車体４に設けられた図示しない操舵シリンダの駆動により、アーティキュレート機構６を中心として前部及び後部車体４，５が水平方向に屈曲することで車両１が旋回するようになっている。
【００１４】
前部転圧輪２は一対の金属ドラムから構成され、前部車体４の左右に回転可能に支持されている。また、後部転圧輪３は単一の金属ドラムから構成され、後部車体５の左右に設けられた支持アーム５ａにより回転可能に支持されている。前部転圧輪２は内蔵した走行用油圧モータ７により駆動され、後部転圧輪３は内蔵した走行用油圧モータ８により駆動され、これにより車両１が走行する。
【００１５】
前部車体４上にはステアリング１０を備えた操作台１１が設置され、操作台１１の後側にはステアリング１０に対応して運転席１２が設置されている。なお、締固め作業中にオペレータが左右の転圧際を容易に視認可能なように、図示はしないが、ステアリング１０及び運転席１２は左右一対設けられている。マカダムローラ１に搭乗して何れかの運転席１２に着座したオペレータは、ステアリング１０及び操作台１１の前後進レバー１３や足下の図示しないブレーキペダルなどを操作し、その操作に応じて車両１の走行や操舵などが行われる。
【００１６】
後部車体５上には、水を貯留した貯水タンク１５が設置されている。貯水タンク１５には、前部及び後部転圧輪２，３の近接位置に配設された図示しない転圧輪散水ノズルが配管及び散水ポンプを介して接続されている。締め固め作業時には前部及び後部転圧輪２，３への舗装材の付着防止を目的として、貯水タンク１５内の水が散水ポンプにより各散水ノズルに供給されて前部及び後部転圧輪２，３へと散水される。
【００１７】
図２は前部車体４を左斜め後方より見た斜視図、図３は同じく前部車体４を左斜め後方より見て作動油タンク及びバルブ室内を透視した斜視図、図４は前部車体４を後方より見た後面図である。
前部車体４は前壁４ａ、左右両側壁４ｂ，４ｃ及び後壁により構成され、その上面はエンジンフード１７（図１に示す）及び図示しない床板により閉鎖され、下面は開放され、その内部にはエンジンルーム１８が画成されている。なお、図２〜４では前部車体４の内部構成を明らかにするためにエンジンフード１７、床板、後壁を省略している。
【００１８】
エンジンルーム１８内にはエンジン１９が搭載され、図示しないエンジンマウントにより支持されている。エンジン１９の後側の上方位置には、粒子状物質の捕集機能及び消音機能を兼ね備えた後処理装置２０が配設されている。後処理装置２０の両側には排気管２１，２２（図５に示す）が接続され、一方の排気管２１はエンジン１９に接続され、他方の排気管２２は下方に延設されて前部車体４の下部から外部に臨んでいる。
エンジン１９の運転中において排ガスは一方の排気管２１を経て後処理装置２０に案内され、後処理装置２０内で粒子状物質を捕集された後に、他方の排気管２２を経て前部車体４の外部に排出される。
【００１９】
エンジン１９の後側の上記した後処理装置２０の下方には、その図示しない出力軸にＨＳＴのメインポンプ２３が直結され、エンジン１９によりメインポンプ２３が駆動されるようになっている。また、エンジン１９のメインポンプ２３の後側には補助ポンプ２４（吐出圧上昇手段）が直結され、同じくエンジン１９により駆動されるようになっている。
【００２０】
図５はマカダムローラの油圧回路図である。
上記のようにエンジン１９にはメインポンプ２３及び補助ポンプ２４が直結されており、メインポンプ２３は前後の走行用油圧モータ７，８との間で閉回路を構成している。メインポンプ２３から吐出された作動油が走行用油圧モータ７，８に供給され、これにより前部及び後部転圧輪２，３が駆動される。本実施形態では、メインポンプ２３及び走行用油圧モータ７，８により油圧走行装置が構成されている。
なお、閉回路からの作動油の漏れに応じて図示しないチャージポンプによりＨＳＴの作動油タンク２５から作動油が適宜補充されるが、本発明の趣旨とは直接関係ないため説明は省略する。
【００２１】
補助ポンプ２４はサクションホース２６及びサクションフィルタ２７を介して作動油タンク２５と接続される一方、バルブホース２８を介して負荷掛けバルブ２９に接続され、負荷掛けバルブ２９はリターンホース３０及びリターンフィルタ３１を介して作動油タンク２５に接続されている。負荷掛けバルブ２９は開閉バルブ２９ａ及びリリーフバルブ２９ｂから構成され、これらのバルブ２９ａ，２９ｂがバルブホース２８とリターンホース３０との間で並列に接続されている。
【００２２】
作動油タンク２５の作動油はサクションフィルタ２７を経て補助ポンプ２４により汲み上げられ、補助ポンプ２４から吐出された作動油は開閉バルブ２９ａ及びリリーフバルブ２９ｂに供給される。通常時には開閉バルブ２９ａが開弁されているため、作動油は開閉バルブ２９ａを流通してリターンフィルタ３１を経て作動油タンク２５に戻される。また、再生処理の際には開閉バルブ２９ａが閉弁されるため、作動油の圧力がリリーフバルブ２９ｂの設定圧を越えるまでは作動油の作動油タンク２５への流通が阻止され、設定圧を越えると作動油は流通を許容されて作動油タンク２５に戻される。
このようなリリーフバルブ２９ｂの動作が繰り返されることにより、補助ポンプ２４の吐出圧が上昇する。それに伴ってエンジン１９の負荷が増大することから、排気温度の上昇により後処理装置２０の昇温が促進され、捕集されている粒子状物質が効率的に焼却される。
【００２３】
以上のように補助ポンプ２４の吐出圧の上昇のために負荷掛けバルブ２９が必要であり、当該バルブ２９を何れかの場所に配設すると共に、補助ポンプ２４、負荷掛けバルブ２９及び作動油タンク２５を油圧配管により相互に接続する必要があるが、［発明が解決しようとする課題］で述べたように、前部車体４内には負荷掛けバルブ２９を設置する余地がない。
【００２４】
このような問題点を鑑みて本発明者は、前部車体４の左右両側に配設されるエンジン１９の燃料タンク３３とＨＳＴの作動油タンク２５との容量差に着目し、最適な負荷掛けバルブ２９の設置場所を見出した。以下、作動油タンク２５、負荷掛けバルブ２９及び油圧配管の設置状態について詳述する。
【００２５】
左右の前部転圧輪２と前部車体４の左右両側壁４ｂ，４ｃとの間にはそれぞれ隅部が形成されており、このデッドスペースである隅部を利用して、左側の隅部にエンジン１９の燃料タンク３３が配設され、右側の隅部にＨＳＴの作動油タンク２５が配設されている。なお、３４は乗降用のステップである。
燃料タンク３３に比して作動油タンク２５は小容量であるため、作動油タンク２５の上下何れかにデッドスペースの空間が残存している。そこで本実施形態では、前部車体４の右側壁４ｃ上の上側位置に作動油タンク２５を設置し、その下側に形成された空間内を利用して補助ポンプ２４を設置している。
【００２６】
図２に示すように、上記した右側の隅部には、前部車体４の右側壁４ｃと略一致する高さのケーシング３６が配設されており、ケーシング３６内は隔壁３６ａにより上下に２分割され、その上側に画成された室が作動油タンク２５として機能する。作動油タンク２５内には作動油が貯留されると共に、内部の隔壁３６ａ上には上記したサクションフィルタ２７及びリターンフィルタ３１が固定されている。下側に画成された室はバルブ室３７として機能し、このバルブ室３７内の前側壁３７ａに負荷掛けバルブ２９の開閉バルブ２９ａとリリーフバルブ２９ｂとが一体で固定されている。
【００２７】
サクションフィルタ２７及びリターンフィルタ３１の接続部はバルブ室３７内で隔壁３６ａの下面に露出しており、サクションフィルタ２７の接続部には上記したサクションホース２６の一端が接続され、サクションホース２６は前部車体４の右側壁４ｃに貫設された透孔３８（図２に示す）を介して前部車体４のエンジンルーム１８内に引き出され、その他端が補助ポンプ２４の吸込側に接続されている。補助ポンプ２４の吐出側には上記したバルブホース２８の一端が接続され、バルブホース２８は前部車体４の右側壁４ｃに貫設された透孔３９を介してバルブ室３７内に引き込まれ、その他端が負荷掛けバルブ２９の一端に接続されている。
【００２８】
負荷掛けバルブ２９の他端には上記したリターンホース３０の一端が接続され、リターンホース３０は前部車体４の右側壁４ｃに貫設された透孔４０を介してエンジンルーム１８内に引き出された後、再び透孔４１を介してバルブ室３７内に引き込まれてリターンフィルタ３１の接続部に接続されている。このようなバルブ室３７内を迂回したリターンホース３０の配置はホース最小曲げ半径を確保するためのものであり、仮に最小曲げ半径が確保できるのであれば、バルブ室３７内で負荷掛けバルブ２９とリターンフィルタ３１とを直接的にリターンホース３０で接続してもよい。
【００２９】
また、負荷掛けバルブ２９とリターンフィルタ３１との接続部の口径が相違するため、図２，３に示すように異径のホースをジョイント４２により接続してリターンホース３０を構成している。勿論、双方の接続部の口径が同一である場合には、このような構成を採る必要はなく、単一のホースをリターンホース３０とすればよい。
【００３０】
以上のように本実施形態のマカダムローラ１では、右側の前部転圧輪２と前部車体４の右側壁４ｃとの間に形成されたデッドスペースである隅部に作動油タンク２５を配設し、その下側にデッドスペースとして残存している空間（本実施形態ではバルブ室３７が位置する箇所）を利用して負荷掛けバルブ２９を設置している。従って、前部車体４のエンジンルーム１８内に負荷掛けバルブ２９を設置する必要がないことから、エンジンルーム１８内の機器の設置レイアウトに何ら影響を及ぼすことなく負荷掛けバルブ２９を設置することができる。
【００３１】
また、このレイアウトによれば、作動油タンク２５と負荷掛けバルブ２９とが近接すると共に、エンジンルーム１８内の補助ポンプ２４の右側方にケーシング３６が位置することから、補助ポンプ２４とケーシング３６内の作動油タンク２５及び負荷掛けバルブ２９とが前部車体４の右側壁４ｃを隔てて前後方向に近い位置に配設される。よって、サクションホース２６、バルブホース２８、リターンホース３０のそれぞれの管路長を短縮でき、しかも作動油が流通する際の管路抵抗を低減することができる。
【００３２】
特に本実施形態では、補助ポンプ２４とケーシング３６とが前後方向に略一致しているため、補助ポンプ２４と作動油タンク２５及び負荷掛けバルブ２９とが極めて近接している。よって、作動油タンク２５（詳しくはサクションフィルタ２７）と補助ポンプ２４とを接続するサクションホース２６、及び補助ポンプ２４と負荷掛けバルブ２９とを接続するバルブホース２８の管路長を最大限に短縮することができる。
【００３３】
また、特に本実施形態では、作動油タンク２５の下側の空間に単に負荷掛けバルブ２９を設置するのではなく、共通のケーシング３６により作動油タンク２５と一体で形成されたバルブ室３７内に負荷掛けバルブ２９を設置している。よって、作動油タンク２５及びバルブ室３７を非常に安価なコストで形成できると共に、バルブ室３７内への収容により負荷掛けバルブ２９を粉塵や雨水などから保護できるため、そのトラブルを最小限に抑制することができる。
【００３４】
以上で実施形態の説明を終えるが、本発明の態様はこの実施形態に限定されるものではない。例えば上記実施形態では、ケーシング３６内を上下に２分割して、その上側を作動油タンク２５とし、下側をバルブ室３７として内部に負荷掛けバルブ２９を収容したが、これに限るものではない。例えば作動油タンク２５とバルブ室３７との上下の位置関係を逆にしてもよいし、作動油タンク２５とは別個にバルブ室３７を形成してもよい。また、作動油タンク２５の上下何れかに形成された空間内に単に負荷掛けバルブ２９を配設するだけでもよい。
また上記実施形態では、吐出圧上昇手段として負荷掛けバルブ２９を用いたが、補助ポンプ２４の吐出圧を上昇可能であれば、これに限るものではなく、例えばオリフィスを用いてもよい。
【符号の説明】
【００３５】
２      前部転圧輪
３      後部転圧輪
４      前部車体（車体）
４ｂ    左側壁
４ｃ    右側壁
７，８  走行用油圧モータ（走行油圧装置）
１９    エンジン
２０    後処理装置
２３    メインポンプ（走行油圧装置）
２４    補助ポンプ
２５    作動油タンク
２９    負荷掛けバルブ（吐出圧上昇手段）
３６    ケーシング
３６ａ  隔壁
３７    バルブ室
【図１】
0006374297.tif 000002
【図２】
0006374297.tif 000003
【図３】
0006374297.tif 000004
【図４】
0006374297.tif 000005
【図５】
0006374297.tif 000006